(57)【特許請求の範囲】
【請求項１】
宅配荷物および郵便物の集受に用いられる物品収受装置において、
配達された宅配荷物を収容するとともに電気錠により施錠可能な複数の物品収容ボックスと、
配達された郵便物を収容し、その取り出し口を施錠可能であるとともに、前記物品収容ボックス内の宅配荷物の有無を表示する表示手段を有し、特定の宛先に対応づけられて設けられた複数の郵便受と、
少なくとも、配達された宅配荷物が収容された物品収容ボックスを特定の宛先と関連づけて記憶するとともに前記物品収容ボックスの施錠および開錠を制御する制御回路と、を含み、
前記制御回路は、前記郵便受の開錠操作が行なわれた時、該郵便受に対応づけられた宛先と、配達された宅配荷物が収容された物品収容ボックスと関連づけて記憶している宛先が一致した場合に、前記表示手段で該物品収容ボックスに宅配荷物が存在することを表示させるとともに、さらに該物品収容ボックスが該郵便受から物理的に近い位置に存在するか否かを判定し、該郵便受から該物品収容ボックスの距離が比較的小さい場合のみ自動的に該物品収容ボックスを開錠するよう制御することを特徴とする物品収受装置。
【請求項２】
請求項１に記載の物品収受装置であって、前記郵便受は該郵便受の内部に収容している郵便物の有無を表示する郵便物有無表示手段を有し、前記郵便受の開錠操作が行なわれた時、前記郵便物有無表示手段で前記郵便受内の郵便物の有無を表示させることを特徴とする物品収受装置。
【発明の詳細な説明】
【技術分野】
【０００１】
本発明は、宅配荷物および郵便物の集受に用いられる物品収受装置に関するものである。
【背景技術】
【０００２】
マンションなどの集合住宅などには、宅配物集合保管装置、いわゆる宅配ボックスが設置されることがある。宅配ボックスは、特定の居住者宛ての宅配荷物を受け取る、あるいは特定の居住者が発送する宅配荷物を集荷するための施錠可能、かつ物理的な鍵やＩＤカードを用いた鍵により開錠可能な物品収納ボックスを複数有するロッカーに類似した物品収納装置である。
【０００３】
近年では、複数の物品収納ボックスに対する宅配荷物などの出し入れを、タッチパネルなどによる操作表示部の操作を介して制御する制御回路を用いて管理する宅配ボックスが知られている。
【０００４】
多くの場合、このような宅配ボックスの物品収納ボックスの受容口の扉はオートロックなどにより画成されたマンションの居住者空間の外側に開口し、取り出し口の扉は居住者空間の内側に配置される。
【０００５】
また、集合住宅などには、宅配ボックスが設置されていなくても、郵便受は必ず配置される。オートロック化されたマンションなどでは、各居室ごとの郵便受を多数配列した集合型の郵便ポストが用いられており、その受容口は、通常、オートロックにより画成されたマンションの居住者空間の外側に開口し、取り出し口は居住者空間の内側に配置される。
【０００６】
さらに、物品収受、という共通性から、上記の宅配ボックスを、郵便ポストとともに配置する場合の構成として下記特許文献１に示されるような構成が既に知られている。
【特許文献１】特開２００４−２４８７４２号公報
【発明の開示】
【発明が解決しようとする課題】
【０００７】
郵便ポストは、たとえば集合住宅では各居住者にそれぞれ１つづつ割り当てられるのに対して、宅配ボックスの物品収納ボックスは、各居住者にそれぞれ１つづつ行き渡るような数は配置されないのが普通である。そして、宅配物などの物品が収容される時に、たとえば宅配業者などの操作に応じて初めて特定の居住者の識別（ＩＤ）情報に割り当てられる。そして、居住者は、ＩＤカードのような鍵を用いて宅配ボックスのコンソールを制御し、自分宛ての荷物が収容されているボックスを開錠する。
【０００８】
一般に、宅配ボックスを各居住者毎に割り当てないのは、一番小さい物品収納ボックスであっても更衣室などで用いられるロッカー程度の大きさであり、また、通常は、ゴルフバッグ程度の大きさのものを収容するかなり大きなサイズのものまで、いくつかの異なるサイズの物品収納ボックスを配置しなればならず、各所帯分の物品収納ボックスを用意するには極めて大きな配置スペースが必要となってしまうためである。
【０００９】
また、郵便ポストの取り出し口には、簡単なダイヤル式の施錠機構などが設けられるものの、多くの郵便ポストでは、これらの施錠機構は電子制御手段などが介在しない、該当居住者の手動操作によってその施錠および開錠が制御される。
【００１０】
一方、宅配ボックスは、ＩＤカードなどによる認証を経て初めて自分宛てに届いた宅配物を収容した物品収納ボックスを開錠できるようにセキュリティ制御を行う制御回路が設けられるのが普通である。これは、たとえば、居住者固有の物品収納ボックスを割り当てない方式においては、居住者が宅配業者が自分宛に宅配物を収容していったボックスを開けることができなければならないことから当然である。
【００１１】
上記のように、郵便ポストは特定の居住者固有に割り当てられるのに対して、宅配ボックスの物品収納ボックスは居住者への固有割り当てではない、また、宅配ボックスは施錠機構が電子制御手段によってセキュリティ制御されるのに対して、郵便ポストの取り出し口はこのような制御手段によって制御されない、という特徴がある。
【００１２】
そこで、郵便ポストおよび宅配ボックスの各物品収受装置を特許文献１のように併設する構成においては、宅配ボックスの電子制御手段を利用（共用）して、宅配ボックスと郵便ポストを制御する、たとえば郵便物や宅配物の収受、郵便物や宅配物の表示、ないし取り出しにかかわる動作を制御できれば便利であると考えられる。特に、郵便物や宅配物の取り出しにかかわる動作を連動制御できれば非常に便利である。
【００１３】
しかしながら、従来、提案されている構成は、特許文献１にみられるように、宅配ボックスを、郵便ポストとともに単に並置するだけのものが多く、上記のように宅配ボックスと郵便ポストを並置した場合に郵便物や宅配物の収受、ないし取り出しにかかわる動作を制御するための便利な構成はほとんど提案されていないのが現状である。
【００１４】
本発明の課題は、上記の問題を解決し、宅配ボックスと郵便ポストを並置して成る物品収受装置において、宅配ボックスの物品収容ボックスを制御する制御回路を用いて郵便物や宅配物の収受、ないし取り出しにかかわる動作を統合的に制御し、利用者の利便性を高めるようにすることにある。
【課題を解決するための手段】
【００１５】
以上の課題を解決するため、本発明においては、宅配荷物および郵便物の集受に用いられる物品収受装置において、配達された宅配荷物を収容するとともに電気錠により施錠可能な複数の物品収容ボックスと、配達された郵便物を収容し、その取り出し口を施錠可能であるとともに、前記物品収容ボックス内の宅配荷物の有無を表示する表示手段を有し、特定の宛先に対応づけられて設けられた複数の郵便受と、少なくとも、配達された宅配荷物が収容された物品収容ボックスを特定の宛先と関連づけて記憶するとともに前記物品収容ボックスの施錠および開錠を制御する制御回路と、を含み、前記制御回路は、前記郵便受の開錠操作が行なわれた時、該郵便受に対応づけられた宛先と、配達された宅配荷物が収容された物品収容ボックスと関連づけて記憶している宛先が一致した場合に、前記表示手段で該物品収容ボックスに宅配荷物が存在することを表示させるとともに、さらに該物品収容ボックスが該郵便受から物理的に近い位置に存在するか否かを判定し、該郵便受から該物品収容ボックスの距離が比較的小さい場合のみ自動的に該物品収容ボックスを開錠するよう制御する構成を採用した。
【００１７】
あるいはさらに、前記郵便受は該郵便受の内部に収容している郵便物の有無を表示する郵便物有無表示手段を有し、前記郵便受の開錠操作が行なわれた時、前記郵便物有無表示手段で前記郵便受内の郵便物の有無を表示させる構成を採用した。
【発明の効果】
【００１８】
上記構成によれば、複数の郵便受から成る郵便ポスト、複数の物品収容ボックスから成る宅配ボックスを並置して成る物品収受装置において、郵便受に対応づけられた宛先で物品収容ボックスに宅配荷物が着荷している場合、郵便受に設けた前記表示手段で該物品収容ボックスに宅配荷物が存在することを表示させることができるから、物品収受装置が設置されたマンションなどの集合住宅において、郵便ポストをチェックするだけで同時に宅配ボックスの側の着荷状態を直ちに確認できる。すなわち、本発明によれば、宅配ボックスの物品収容ボックスを制御する制御回路を利用し、郵便物や宅配物の収受、ないし取り出しにかかわる動作を統合的に制御し、利用者の利便性を大きく高めることができる。
【００１９】
しかも、郵便受に対応づけられた宛先で物品収容ボックスに宅配荷物が着荷しており、かつ、該郵便受から該物品収容ボックスの距離が比較的小さい場合、該物品収容ボックスを開錠することにより、それ以上の開錠操作や認証操作を行う必要なく、容易に着荷している宅配荷物の取り出しを行うことができる。また、着荷している物品収容ボックスが比較的遠い場合には、宅配物が存在する該当の物品収容ボックスは自動開錠されないので、保安上の問題を生じることがない。
【００２０】
また、郵便受に郵便物有無表示手段を設けることにより、郵便受の開錠操作が行なわれた時、前記郵便物有無表示手段で郵便受内の郵便物の有無を表示させることができる。
【発明を実施するための最良の形態】
【００２１】
以下、本発明を実施するための最良の形態の一例として、宅配ボックスと郵便ポストを併設して成る物品収受装置に関する実施例を示す。
【実施例１】
【００２２】
＜宅配ボックスの構成＞
図１および図２は、本発明を採用した宅配ボックス１００と、郵便ポスト２００を併設して成る物品収受装置を表側、および裏側からそれぞれ示している。
【００２３】
図１に示した宅配ボックス１００および郵便ポスト２００の表側は、オートロックにより画成されたマンションのような集合住宅（以下、同等の住宅を「マンション」の用語により言及する）の居住者空間の外側に向けて配置され、図２に示した宅配ボックス１００および郵便ポスト２００の裏側は、居住者空間の内側に向けて配置される。
【００２４】
＜宅配ボックスの構成＞
本実施例の宅配ボックス１００は、宅配荷物などの集受に用いられる物品収容ボックスを複数設けて成るものである。図１の宅配ボックス１００には、通常の宅配荷物などの集受に用いる２種類の容量の物品収容ボックス１１１〜１１４を設けてある。ここでは不図示であるが、物品収容ボックス１１１〜１１４の扉表面（裏面も同様）には、ボックスを特定するためボックス番号をステッカーなどを貼付することによって表示してある。
【００２５】
図１、図２の宅配ボックス１００では、宅配ボックス１００の機能を制御するためのコンソール１３０、および宅配荷物の集受に用いられる隔室としての複数（ここでは４つ）の物品収容ボックス１１１〜１１４が配置されている。
【００２６】
まず、図１を参照して表側（居住者空間の外側）から、宅配ボックス１００の構成を説明する。
【００２７】
本実施例では、最上段および最下段の物品収容ボックス１１１、１１４が中型サイズ、物品収容ボックス１１２、１１３が小型サイズとなっており、コンソール１３０は物品収容ボックス１１１と１１２の間に配置してある。もちろん、物品収容ボックスの数やサイズなどの組合せは上記に限定されることなく任意である。
【００２８】
宅配ボックス１００の物品収容ボックス１１１〜１１４はコンソール１３０と接続された後述の制御回路（図４）を介して制御される電気錠により施錠可能であり、全体としてロッカーに類する箱体で、たとえば金属板などの材料から構成されている。また、物品収容ボックス１１１〜１１４内部には、当該のボックスに宅配荷物が収容されているか否かを検出するフォトインタラプタなどの光学センサから成る荷物センサー（後述の３１２）が設けられている。
【００２９】
コンソール１３０の中央には、主要部をタッチパネルなどを用いた入力表示素子から構成した操作表示部１３１を配置してある。この操作表示部１３１により、たとえばメニューを表示し、そのメニューを操作するといった操作方式によって、宅配ボックス１００の機能を制御することができる。
【００３０】
コンソール１３０の操作表示部１３１の周囲には、音声ガイダンスや警報音の発生のために用いられる不図示のスピーカー、宅配ボックス１００を操作する人物や近傍の様子を撮影するための防犯カメラ１３３、宅配荷物の集受に関する書類（レシートなど）を印刷するための感熱プリンターなどからなるプリンター１３４、ＩＣカードリーダーなどからなる鍵センサー１３５を配設してある。
【００３１】
このうち、鍵センサー１３５は、マンションの居住者、あるいは特定の宅配業者などが保有するＩＤカードの情報を読み取るために用いられる。ＩＤカードはたとえばＩＣカードなどから構成され、マンションの居住者、あるいは特定の宅配業者を識別する識別情報が記録される。
【００３２】
物品収容ボックス１１１〜１１４は、宅配ボックス１００が設置されるマンションの居住者などに対して各々割り当てられる。物品収容ボックス１１１〜１１４の収容容積は一定でなくてもよく、図示のように異なるサイズとなっていてもかまわない。物品収容ボックス１１１〜１１４は施錠可能な扉とその扉を開閉するための取手１１１ａ〜１１４ａをそれぞれ有している。
【００３３】
一方、宅配ボックス１００の裏側（居住者空間の内側）は、図２に示すように構成されている。本実施例では裏側にも取手１１１ｂ〜１１４ｂをそれぞれ有する扉が設けられ、こちら側からも荷物の出し入れができるようになっている。
【００３４】
表側のコンソール１３０と対応する位置には、コンソール１４０が配置される。コンソール１４０は操作表示部１４１と、ＩＣカードリーダーなどからなる鍵センサー１３５を少なくとも有する。また、コンソール１４０は音声ガイダンスや警報音の発生のために用いられる不図示のスピーカーを有する（以下の制御例で使用方法を例示する）。
【００３５】
＜郵便ポストの構成＞
図１および図２において、郵便ポスト２００は郵便受２１１、２１１…を複数、縦方向に配列したもので、各々の郵便受２１１はマンション居住者にそれぞれ割り当てられる。ここでは、図示を簡略にするため、１列、９所帯分の郵便受２１１を配置した構成を示しているが、より多くの郵便受２１１を郵便ポスト２００に配列し、また、より多数列の郵便受２１１を配置してもよい。
【００３６】
図３（ａ）〜（ｄ）に郵便受２１１の１つの構成を詳細に示す。郵便受２１１は金属板などから構成され、本実施例では、図３（ａ）に示すように主に大判の郵便物や新聞などの印刷物を受容するための受容口２１１１と、主に定型郵便物などの配達を受容するための受容口２１１２を表側（図の右側：図３（ｂ）、（ｃ）においても同様）の表面に配置してある。
【００３７】
郵便受２１１の内部は、仕切り板２１１４で２つに区切られており、各受容口２１１１、２１１２から受容した郵便物や印刷物が混ざらないように構成してある。居住者空間側（図の左側：図３（ｂ）、（ｃ）においても同様）には、扉２１１３を右ヒンジで開閉自在に設けてある。
【００３８】
図３（ｂ）、（ｃ）は、それぞれ、主に定型郵便物用の受容口２１１２、主に新聞などの印刷物用の受容口２１１１の後の部分の断面構造を示している。
【００３９】
図３（ｂ）は受容口２１１２の後部のほぼ中央の断面で、受容口２１１２の後部のコンパートメント内部の構造を示している。図３（ｂ）において符号２１１５は奥側の側壁に沿って配置された扉２１１３を施錠するための電気錠である。また、符号２１１６は、フォトインタラプタなどの光学センサから成る郵便物センサーである。
【００４０】
扉２１１３の表面には、２つのＬＥＤ２１３１、ＬＥＤ２１３２が配置されている。ＬＥＤ２１３１、ＬＥＤ２１３２の配置位置は、図３（ｄ）の背面図に示すように、たとえば扉２１１３の左端部近傍とする。後述するように、ＬＥＤ２１３１は、郵便受２１１内部の郵便物の有無を、また、ＬＥＤ２１３２は宅配ボックス１００側の宅配物の有無を表示するために用いられる。
【００４１】
なお、郵便受２１１内部の郵便物の有無を検出するためのＬＥＤ２１３１は本発明の実施に関しては必ずしも必要なく、たとえば、郵便受２１１内部を視認できるような小窓を扉２１１３に設けるだけでも利用者に内部の郵便物の有無を確認させることができ、ほぼ同じ目的を達することができる。
【００４２】
また、図３（ｂ）において、符号２１１７は受容口２１１２に設けたシャッターで、受容口２１１２の上縁に回動自在に支持されている。シャッター２１１７は、主に風雨や塵埃の進入防止、あるいは覗き見防止のために公知の郵便受に設けられているものと同じである。
【００４３】
図３（ｃ）は受容口２１１１の後部のほぼ中央の断面で、受容口２１１１の後部のコンパートメント内部の構造を示している。また、符号２１１９は、フォトインタラプタなどの光学センサから成る郵便物センサーである。
【００４４】
電気錠２１１５、郵便物センサー２１１６、２１１９、ＬＥＤ２１３１、２１３２は後述の制御回路によって制御される。
【００４５】
なお、郵便物センサー２１１６、２１１９は必ずしも設けなくてもよい。その場合の制御例については実施例２において後述する。
【００４６】
＜制御回路＞
図４は、宅配ボックス１００の制御システムの構成を示している。図４においては、以上で説明した各構成部材については同一の参照符号を用いており、各部材の機能については以下では必要な場合を除き、重ねて説明しない。
【００４７】
制御回路３００の部分は、宅配ボックス１００のコンソール１３０、１４０（図１および図２）の間の空間などに配置される。
【００４８】
制御回路３００は、ＣＰＵ３０１、ＲＯＭ３０２、ＲＡＭ３０３と各部との入出力を行うための入出力回路３０４、３０５、３０６から構成される。
【００４９】
宅配ボックス１００全体の制御は、ＣＰＵ３０１により行なわれる。ＣＰＵ３０１が実行する制御手順は、ＣＰＵ３０１のプログラムなどとしてＲＯＭ３０２に格納され、ＣＰＵ３０１はＲＡＭ３０３をワークエリアとしてＲＯＭ３０２に格納された制御プログラムを実行することにより宅配ボックス１００全体の制御を行う。
【００５０】
ＲＯＭ３０２には、後述の制御プログラムのほか、郵便受２１１と、その郵便受２１１を使用する居住者の対応関係を示す情報をデータテーブル化して格納しておく。この郵便受２１１と居住者の対応関係を示すデータテーブルは、ＲＡＭ３０３上に置いてもよいが、その場合、データテーブルの格納領域は停電時なども保持できるようにバックアップするものとする。
【００５１】
入出力回路３０４には、宅配ボックス表面側のコンソール１３０の操作表示部１３１、プリンター１３４、鍵センサー１３５、裏面側の宅配ボックス表面側のコンソール１４０の操作表示部１４１、鍵センサー１４５が接続されている。
【００５２】
さらに、入出力回路３０４には、各物品収容ボックス１１１〜１１４の表側の扉の電気錠３１０、裏側の扉の電気錠３１１、フォトインタラプタなどから成る荷物センサー３１２が接続されている。
【００５３】
入出力回路３０５には、郵便ポスト２００の各郵便受２１１の受容口２１１２側の郵便物センサー２１１６、受容口２１１１側の郵便物センサー２１１９、電気錠２１１５、およびＬＥＤ２１３１、２１３２が接続されている。
【００５４】
上述のように、郵便ポスト２００は複数の郵便受２１１を有し、ここでは複数の郵便受２１１の電子回路を集合的に１ブロックで図示しているが、当然ながら、ＣＰＵ３０１は入出力回路３０５を介して郵便受２１１の各々を特定して信号入出力を行えるものとする。たとえば、電気錠２１１５の１つを開錠する場合は、利用者の操作に応じて特定された郵便受２１１の電気錠２１１５を開錠する。
【００５５】
入出力回路３０６には、通信部３１３が接続されている。通信部３１３は、マンションの情報システム６００と通信できるよう構成されている。この情報システム６００は、マンションのインターフォン、電子ロックなどの制御システムで、たとえば宅配物や郵便物の有無を示す信号をマンションの各居室のインターフォンに対して送信することにより、宅配物や郵便物の有無に応じてインターフォンのコンソールに配置されたＬＥＤやＬＣＤパネルの対応する表示を行わせることができる。情報システム６００と入出力回路３０６の間のインターフェースは、複数の制御信号線などから構成できる。
【００５６】
また、通信部３１３は、インターネットの通信回線４００を経由して管理センター５００の通信部５０１と通信することができる。通信部３１３、５０１はたとえば、ダイヤルアップ接続、あるいは光ファイバやＡＤＳＬなどのネットワーク接続方式を用いて通信回線４００と接続するネットワークインターフェースを有する。
【００５７】
管理センター５００の通信部５０１には、管理センターサーバ５０２が接続されている。管理センターサーバ５０２は、操作部５０４、表示部５０３を有するたとえばパーソナルコンピュータなどから成るサーバコンピュータで、管理センター５００のオペレータ５０５は、操作部５０４、表示部５０３を介して制御部３００と通信し、宅配ボックス１００、郵便ポスト２００の現在の状態をモニタしたり、郵便受２１１や物品収容ボックス１１１〜１１４の強制開錠などの遠隔制御も行うことができる。
【００５８】
次に上記構成における各部の動作につき説明する。以下では、宅配ボックス１００および郵便ポスト２００の使用方法およびそれぞれの動作を説明する。
【００５９】
＜宅配ボックスの動作＞
宅配ボックス１００の物品収容ボックス１１１〜１１４に対して宅配業者が宅配荷物（配達物）を収容する場合、次のような動作を行う。この収容操作および制御については、従来の宅配ボックスと同様であるから簡単に説明する。
【００６０】
宅配業者は、表側のコンソール１３０の操作表示部１３１を操作しながら収容作業を進める。ここでは宅配業者は収容（着荷）モードを選択する。
【００６１】
未収容の物品収容ボックス１１１〜１１４は開錠状態であり、宅配業者は特定の所帯宛の宅配荷物を未収容の物品収容ボックス１１１〜１１４のうちいずれかのボックスに収容する。このとき、物品収容ボックス１１１〜１１４のいずれのボックスにも収容を許すようにしてもよいが、操作表示部１３１で空いているボックスを表示して、そのボックスに荷物を収容するように宅配業者に指示を与えてもよい。宅配業者に物品収容ボックス１１１〜１１４のボックスを選択させる場合には、操作表示部１３１で荷物を収容するボックスの番号などを入力させるか、ＣＰＵ３０１が各ボックス１１１〜１１４の荷物センサー３１２を監視することなどにより実際に荷物が収容されたボックスを特定する。
【００６２】
物品収容ボックス１１１〜１１４のうちいずれかのボックスに宅配荷物を収容し、その扉を閉成すると、電気錠３１０、３１１をロックし、宛先の居住者が開錠するまで開かないよう、その物品収容ボックスの表裏の扉を制御する。なお、このとき、該当の物品収容ボックスの扉が閉成されたにもかかわらず荷物センサー３１２により物品を検出できていない場合にはエラー処理（ブザー音による警報や、操作表示部１３１での表示）を行うようにしてもよい。
【００６３】
以上までのいずれかのタイミングにおいて、業者は宛先の居住者を識別する部屋番号や氏名などの識別情報、さらに業者を識別する情報（識別番号や業者名など）をコンソール１３０の操作表示部１３１を介して入力する。
【００６４】
収容操作が完全に終了すると、プリンター１３４で宅配業者に対してレシートを発行する。なお、収容操作を特定の業者のみに限定したいなどの場合には、収容操作を許容する特別なＩＤ情報を記録した宅配業者ＩＤカードなどを配布し、鍵センサー１３５に提示させ、認証が正しく行なえた場合にのみ収容操作を許容するような制御を行ってもよい。
【００６５】
宅配ボックス１００の物品収容ボックス１１１〜１１４に荷物が収容されると、ＣＰＵ３０１は、ＲＡＭ３０３などの特定領域に宛先の居住者の識別情報に関連づけて荷物が収容されているボックスの識別情報（ボックス番号など）を記憶する。また、通信部３１３を介して、情報システム６００に通知を行ない、該当の居住者のインターフォンの着荷ＬＥＤなどを点灯させ、居住者に着荷を報知する。
【００６６】
さらに本実施例では、同時に、ＣＰＵ３０１はＲＯＭ３０２（あるいはＲＡＭ３０３）のデータテーブルから、配達宛先の居住者に対応づけられた郵便受２１１を特定できるから、該当の郵便受２１１のＬＥＤ２１３２を消灯から点灯に切り換え、宅配ボックスに着荷があることを表示する。
【００６７】
このように、本実施例によれば、宅配ボックスに着荷がある場合、その旨を配達宛先の居住者に対応づけられた郵便受２１１のＬＥＤ２１３２で表示できるから、郵便受２１１（多くの場合、居住者はほぼ毎日、かなり頻繁に郵便受２１１の状態はチェックするのが普通である）の取り出し口である扉２１１３のＬＥＤ２１３２を見るだけで、着荷の有無を確認できる。
【００６８】
居住者に対しては、あらかじめ居住者ごとに固有のＩＤを記録したＩＤカードを配布しておく。居住者は、裏側、ないし表側のいずれかのコンソール１４０、ないし１３０を用いて宅配された配達物の取り出しを行う。居住者はコンソール１４０、ないし１３０の操作表示部１４１ないし１３１を介して取り出しモードを指示する。ＣＰＵ３０１はＩＤカードを鍵センサー１４５ないし１３５に提示する（あるいは他の暗証番号を入力させる）認証を居住者に要求し、この認証が成功すると、ＣＰＵ３０１は該当の物品収容ボックスの居住者が操作しているコンソール１４０、ないし１３０の側の電気錠３１１（裏側）、または３１０（表側）を開錠する。
【００６９】
以上のようにして、居住者は宅配された配達物を取り出すことができる。
【００７０】
＜郵便ポストの動作＞
本実施例では、郵便ポスト２００の郵便受２１１の後部の扉２１１３を電気錠で施錠でき、また、ＬＥＤ２１３１により当該郵便受２１１の配達物の有無を、また、ＬＥＤ２１３２により、当該郵便受２１１の居住者宛ての配達物が宅配ボックス１００の物品収容ボックス（１１１〜１１４のいずれか）に配達されていないか否かを表示することができる。
【００７１】
まず、郵便受２１１への配達の場合の動作を説明する。
【００７２】
配達員が郵便物を郵便受２１１の受容口２１１２あるいは２１１１にポストすると、ＣＰＵ３０１は郵便物センサー２１１６、２１１９を介して収受した郵便物を検出する。郵便受２１１に関しては、当然ながら、裏側の扉２１１３は、通常の状態では、閉成時は電気錠２１１５でロックしておく。
【００７３】
ＣＰＵ３０１は、郵便物センサー２１１６あるいは２１１９を介して収受した郵便物を検出すると、ＬＥＤ２１３１を消灯から点灯状態に切り換え、郵便物が郵便受２１１に収容されていることを表示する。
【００７４】
郵便物の取り出しは、ＩＤカードを裏側のコンソール１４０の鍵センサー１４５に提示して行う認証が成功した場合のみ、電気錠２１１５を開錠することにより行うが、この取り出し制御は図５（ａ）、（ｂ）に示すようにして行うことができる。
【００７５】
図５（ａ）のステップＳ１０では、居住者が裏側のコンソール１４０の鍵センサー１４５に提示して認証を行ない、その認証が成功したか否かを判定する。
【００７６】
認証が成功すると、ステップＳ１１に進み、ＲＯＭ３０２（あるいはＲＡＭ３０３）のデータテーブルを参照し、認証を成功させた居住者に対応する郵便受２１１を特定し、その郵便受２１１に郵便物が存在するか否かを判定する。ここで、該当の郵便受２１１に郵便物が存在する場合にはステップＳ１２に進み、存在しない場合にはステップＳ１３に進む。
【００７７】
郵便受２１１に郵便物が存在する場合にはステップＳ１２において、ＬＥＤ２１３１を点灯（点灯状態を維持）させ、郵便物ありを表示する。ただしここで、さらにスピーカで音声案内を行うなどして郵便物ありを居住者に報知してもよい。
【００７８】
さらにステップＳ１４では、該当の居住者宛ての宅配荷物が宅配ボックス１００の物品収容ボックス１１１〜１１４に存在するか否かを判定する。この判定は、操作中の郵便受２１１に対応する宛先（居住者）と、現在、宅配物を収容している物品収容ボックス１１１〜１１４に関してＲＡＭ３０３に記憶している、当該宅配物の宛先が一致しているかを検査することにより行う。ここで宅配荷物が存在しない場合にはステップＳ１６に、宅配荷物が存在する場合にはステップＳ１５に移行する。
【００７９】
宅配荷物が存在しない場合にはステップＳ１６において、ＬＥＤ２１３２を消灯（消灯状態を維持）させ、宅配物なしを表示するとともに、操作表示部１４１で同様に郵便物なしを表示し、あるいはさらにスピーカで音声案内を行うなどして郵便物なしを居住者に報知し、ステップＳ１８に移行する。
【００８０】
宅配荷物が存在する場合にはステップＳ１５において、ＬＥＤ２１３２を点灯（点灯状態を維持）させ、宅配物ありを表示する。ただしここで、さらにスピーカで音声案内を行うなどして郵便物ありを居住者に報知してもよい。この処理の後、ステップＳ１７に移行する。
【００８１】
ステップＳ１７では、図５（ｂ）に示した宅配ボックス連動制御を行う。ここでは、ステップＳ２５において、宅配物が存在する該当の物品収容ボックス（１１１〜１１４）が、該当の郵便受２１１に物理的に近い位置に存在するか否かを判定する。
【００８２】
この判定は、たとえば、宅配物が存在する該当の物品収容ボックス（１１１〜１１４）と該当の郵便受２１１の距離が比較的小さい、たとえば特定の閾値（たとえば１〜数メートル）より小さいか否か、などを判定することによって行う。このためには、ＲＯＭ３０２にあらかじめ、特定の郵便受２１１と、全ての物品収容ボックス（１１１〜１１４）の距離をデータテーブル化して格納しておき、このデータテーブルを参照して該当の距離を求め、それを上記の閾値と比較することなどによって行うことができる。
【００８３】
あるいは、この判定において行う距離の比較は、郵便受２１１ないし物品収容ボックス（１１１〜１１４）が離れている段の数や列の数を単位として行なってもよい。たとえば、図１ないし図２の例では郵便受２１１と物品収容ボックス（１１１〜１１４）は１列づつしか設けられていないが、これらを複数列づつ設ける場合には、郵便受２１１から物品収容ボックス（１１１〜１１４）がたとえば２〜複数列よりも少ない列数の範囲内にあるか否かを判定する。段数を単位とする場合では、同様に郵便受２１１から物品収容ボックス（１１１〜１１４）がたとえば２〜複数段よりも少ない段数の範囲内にあるか否かを判定すればよい。
【００８４】
ステップＳ２５が肯定された、すなわち、宅配物が存在する該当の物品収容ボックス（１１１〜１１４）が、該当の郵便受２１１に物理的に近い位置に存在する場合には、ステップＳ２６において、該当の物品収容ボックス（１１１〜１１４）の電気錠３１１を開錠して、その物品収容ボックスの扉をポップアップさせる（少し開く）。
【００８５】
ステップＳ２５が否定、すなわち、宅配物が存在する該当の物品収容ボックス（１１１〜１１４）が、該当の郵便受２１１に物理的に近い位置に存在しない場合には、図５（ｂ）の宅配ボックス連動制御を終了し、原ルーチンに復帰する。なお、このように物品収容ボックス（１１１〜１１４）の自動開錠を行わない場合には、スピーカを用いて音声案内を行うことにより、「宅配荷物があります」、「物品収容ボックスが遠いので自動開錠はいたしません」、あるいはさらに「コンソール１４０で着荷操作を行なってお荷物をお受け取りください」といった報知を行うようにしてもよい。
【００８６】
このようにして、着荷している物品収容ボックス（１１１〜１１４）が操作中の郵便受２１１に近い場合のみ、自動的にその物品収容ボックスの扉を開くことができる。本実施例によれば、着荷している物品収容ボックスがあまり遠い場合には、宅配物が存在する該当の物品収容ボックスは自動開錠されないので、保安上の問題を生じない。
【００８７】
図５（ｂ）のステップＳ２６の後、処理はステップＳ１８に復帰し、該当の郵便受２１１の電気錠２１１５を開錠する。
【００８８】
ステップＳ１９では、居住者による郵便物の取り出しが行なわれ、郵便物を取り出すと居住者はステップＳ２０において郵便受２１１の扉２１１３を閉じる。電気錠２１１５は、この閉成動作によって施錠される。
【００８９】
一方、ステップＳ１１で郵便物なしの場合は、ステップＳ１３において、ＬＥＤ２１３１を消灯（消灯状態を維持）させ、郵便物なしを表示するとともに、操作表示部１４１で同様に郵便物なしを表示し、あるいはさらにスピーカで音声案内を行うなどして郵便物なしを居住者に報知する。
【００９０】
続いて、ステップＳ２１では、ステップＳ１４同様に該当の居住者宛ての宅配荷物が宅配ボックス１００の物品収容ボックス１１１〜１１４に存在するか否かを判定する。宅配荷物が存在しない場合にはステップＳ２３に、宅配荷物が存在する場合にはステップＳ２２に移行する。
【００９１】
宅配荷物が存在しない場合にはステップＳ１３において、ＬＥＤ２１３２を消灯（消灯状態を維持）させ、宅配物なしを表示するとともに、操作表示部１４１で同様に郵便物なしを表示し、あるいはさらにスピーカで音声案内を行うなどして郵便物なしを居住者に報知し、処理を終了する。
【００９２】
宅配荷物が存在する場合にはステップＳ２２において、ＬＥＤ２１３２を点灯（点灯状態を維持）させ、宅配物ありを表示する。ただしここで、さらにスピーカで音声案内を行うなどして郵便物ありを居住者に報知してもよい。この処理の後、ステップＳ２４に移行する。
【００９３】
ステップＳ２４では、上述した図５（ｂ）に示した宅配ボックス連動制御を行ない、処理を終了する。これにより、郵便受２１１を開かない場合でも、着荷している物品収容ボックス（１１１〜１１４）が操作中の郵便受２１１に近い場合のみ、自動的にその物品収容ボックスの扉を開くことができ、着荷している物品収容ボックスが比較的遠い場合には、宅配物が存在する該当の物品収容ボックスは自動開錠されないので、保安上の問題を生じることがない。
【００９４】
以上のようにして、本実施例によれば、典型的な居住者の行動として毎日１回（以上）チェックすることが多い郵便受２１１において、その郵便受２１１に郵便物が配達されていれば、その旨をＬＥＤ２１３１で表示でき、この表示を介して居住者は確実に郵便物が配達されていることを認識することができる。
【００９５】
また、典型的な居住者の行動として毎日１回（以上）チェックすることが多い郵便受２１１に対応づけられた居住者宛ての宅配物が宅配ボックス１００の物品収容ボックスに存在すれば、その旨をＬＥＤ２１３２で表示でき、居住者は確実に宅配物が配達されていることを認識することができる。
【００９６】
さらに、郵便物が配達されている場合でも配達されていない場合でも、着荷している物品収容ボックス（１１１〜１１４）が操作中の郵便受２１１に近い場合のみ、自動的にその物品収容ボックスの扉を開くことができる。このように、郵便受に対応づけられた宛先で物品収容ボックスに宅配荷物が着荷しており、かつ、該郵便受から該物品収容ボックスの距離が比較的小さい場合、該物品収容ボックスを開錠することにより、それ以上の開錠操作や認証操作を行う必要なく、容易に着荷している宅配荷物の取り出しを行うことができる。
【００９７】
すなわち、本実施例では、郵便受２１１が居住者、すなわち特定の宛先に割り当てられている、という点を利用し、郵便受２１１を開錠するための認証操作（ステップＳ１０）を物品収容ボックスを開錠する操作としても兼用でき、操作が容易になる、という利点がある。そして、この物品収容ボックスの自動開錠は、郵便受２１１と該当の物品収容ボックスの距離が近い場合にのみ行うようにすれば、一定の保安性も満足できる、という利点がある。
【００９８】
さらに、着荷している物品収容ボックスが比較的遠い場合には、宅配物が存在する該当の物品収容ボックスは自動開錠されないので、保安上の問題を生じることがない。
【００９９】
なお、郵便物取り出しの際、郵便受２１１の扉２１１３は、以上ではＩＤカードを用いた認証を経て、宅配ボックス１００のＣＰＵ３０１により開錠するものとしたが、郵便受２１１のダイヤルキーや平板キーなどを用いた施錠機構により手動で施錠／開錠する場合でも、上記のＬＥＤ２１３１、２１３２による表示は行うことができる。この場合には、ステップＳ１０の認証処理をダイヤルキーや平板キーなどを用いた施錠機構により手動での開錠操作の検出に置き換えればよい。また、この場合、少なくとも扉２１１３の施錠機構の開錠状態、あるいは扉２１１３の開放状態を検出できるセンサー機構を設けておけば、これらの開錠／開放状態に応じて上記の物品収容ボックスが郵便受２１１に近い場合のみ宅配ボックス１００の物品収容ボックスの扉を開放する自動開錠を行うこともできる。
【０１００】
＜郵便受に関する変形例＞
以上では、郵便受２１１は２つの受容口２１１１、２１１２を設けて、ちらし、印刷物と、定型郵便物で使い分けるものとしたが、上記構成は受容口が１つのみの場合でも同様に実施できる。また、郵便受２１１のためのＬＥＤ２１３１を１つのみ設けた構成を示したが、２つの受容口２１１１、２１１２に対応する隔室ごとに郵便物の有無を表示するＬＥＤを設けてもよい。
【実施例２】
【０１０１】
本実施例では、実施例１に示した郵便受の構成、およびそれに係る制御に関する変形例を示す。
【０１０２】
実施例１では、郵便受２１１内部の郵便物の有無を検出するための郵便物センサー２１１６、および２１１９と、郵便物の有無を表示するためのＬＥＤ２１３１を設けている。これらの郵便物センサー２１１６、２１１９は、主として郵便物の有無を表示するためのＬＥＤ２１３１を制御するためのものであって、前述のように郵便受２１１内部を視認できるような小窓を扉２１１３に設けるだけでも同様の目的をほぼ達成することができるため、省略してしまってもよい。
【０１０３】
そして、ＬＥＤ２１３２、すなわち、郵便受２１１に対応づけられた居住者宛ての宅配物が宅配ボックス１００の物品収容ボックスに存在するか否かを表示するための表示手段を郵便受２１１に設けるだけでも下記のような制御を行うことができ、大きな効果を期待できる。
【０１０４】
図６に、郵便物センサー２１１６、２１１９、ＬＥＤ２１３１を省略し、ＬＥＤ２１３２のみを設けた場合に実施できる制御手順の一例を示す。図６のフローチャートでは、図５と同一ないし相当するステップには同一符号を付し、図５において説明済みの部分に関しては詳細な説明を省略するものとする。
【０１０５】
図５と比較して明らかなように、図６の制御は郵便受２１１に郵便物が存在するか否かを検出する図５のステップＳ１１と、これに応じて行うＬＥＤ２１３１の点灯制御であるステップＳ１２、Ｓ１３および郵便物が存在しない場合に分岐して実行するステップＳ１３より後の処理を除去したものである。その他のステップはいずれも実施例１で説明した通りである。
【０１０６】
図６に示したように本実施例では、ステップＳ１０で認証が行われると、郵便受２１１に郵便物が存在するか否かにかかわらず、ステップＳ１４以降の制御を行う。すなわち、ステップＳ１８で郵便受２１１の電気錠２１１５を開錠するに先立って、ステップＳ１４で該当の居住者宛ての宅配荷物が宅配ボックス１００の物品収容ボックス１１１〜１１４に存在するか否かを判定し、宅配荷物の有無に応じてＬＥＤ２１３２の点灯／消灯制御を行ない（ステップＳ１５、Ｓ１６）、特に宅配荷物がある場合にはステップＳ１７で図５（ｂ）に示した宅配ボックス連動制御を行う。
【０１０７】
ステップＳ１８、Ｓ１９、Ｓ２０は実施例１と同様の郵便受２１１の電気錠２１１５の開錠、郵便物の取り出し、施錠であるが、当然ながら本実施例では郵便物の有無を検出していないから、該郵便受２１１は空である場合もあり、その場合は、ステップＳ１９では郵便物の取り出しは行われない。
【０１０８】
以上に示したように、郵便物センサー２１１６、および２１１９と、郵便物の有無を表示するためのＬＥＤ２１３１を省略した構成においても、典型的な居住者の行動として毎日１回（以上）チェックすることが多い郵便受２１１に対応づけられた居住者宛ての宅配物が宅配ボックス１００の物品収容ボックスに存在すれば、その旨をＬＥＤ２１３２で表示でき、居住者は確実に宅配物が配達されていることを認識することができる。
【０１０９】
さらに、郵便物が配達されている場合でも配達されていない場合でも、着荷している物品収容ボックス（１１１〜１１４）が操作中の郵便受２１１に近い場合のみ、自動的にその物品収容ボックスの扉を開くことができる。このように、郵便受に対応づけられた宛先で物品収容ボックスに宅配荷物が着荷しており、かつ、該郵便受から該物品収容ボックスの距離が比較的小さい場合、該物品収容ボックスを開錠することにより、それ以上の開錠操作や認証操作を行う必要なく、容易に着荷している宅配荷物の取り出しを行うことができる。
【０１１０】
本実施例では、郵便受２１１が居住者、すなわち特定の宛先に割り当てられている、という点を利用し、郵便受２１１を開錠するための認証操作（ステップＳ１０）を物品収容ボックスを開錠する操作としても兼用でき、操作が容易になる、という利点がある。そして、この物品収容ボックスの自動開錠は、郵便受２１１と該当の物品収容ボックスの距離が近い場合にのみ行うようにすれば、一定の保安性も満足できる、という利点がある。
【０１１１】
さらに、着荷している物品収容ボックスが比較的遠い場合には、宅配物が存在する該当の物品収容ボックスは自動開錠されないので、保安上の問題を生じることがない。
【０１１２】
なお、本実施例においても、ステップＳ１０の認証処理をダイヤルキーや平板キーなどを用いた施錠機構により手動での開錠操作の検出に置き換えることができるのは実施例１と同様である。
【図面の簡単な説明】
【０１１３】
【図１】本発明を採用した宅配ボックスおよび郵便ポストを併設して成る物品収受装置の表側の構成を示した正面図である。
【図２】図１の物品収受装置の裏側の構成を示した背面図である。
【図３】図１の物品収受装置の郵便ポストの郵便受の構成を示した図で、（ａ）は斜視図、（ｂ）および（ｃ）は断面図、（ｄ）は背面図である。
【図４】図１の物品収受装置の制御回路の構成を示したブロック図である。
【図５】図１の物品収受装置における配達物取り出し制御を示したフローチャート図である。
【図６】図１の物品収受装置における配達物取り出し制御を示した異なるフローチャート図である。
【符号の説明】
【０１１４】
１００  宅配ボックス
１１１〜１１４  物品収容ボックス
１３０、１４０  コンソール
１３１、１４１  操作表示部
１３３  防犯カメラ
１３４  プリンター
１３５、１４５  鍵センサー
２００  郵便ポスト
２１１  郵便受
３００  制御回路
３０１  ＣＰＵ
３０２  ＲＯＭ
３０３  ＲＡＭ
３０４、３０５、３０６  入出力回路
３１０、３１１、２１１５  電気錠
３１２  荷物センサー
３１３  通信部
４００  通信回線
５００  管理センター
５０１  通信部
５０２  管理センターサーバ
５０３  表示部
５０４  操作部
６００  情報システム
２１１１、２１１２  受容口
２１１３  扉
２１１４  仕切り板
２１１６、２１１９  郵便物センサー
２１１７、２１２１  シャッター
２１３１、２１３２  ＬＥＤ
【図１】
0005259250.tif 000002
【図２】
0005259250.tif 000003
【図３】
0005259250.tif 000004
【図４】
0005259250.tif 000005
【図５】
0005259250.tif 000006
【図６】
0005259250.tif 000007